(57)【特許請求の範囲】
【請求項１】
印刷装置に設けられ、ホスト機器から供給される印刷データを記憶する第１の記憶手段と、
前記印刷装置に設けられ、前記ホスト機器から供給されるフォームデータを記憶する第２の記憶手段とを有し、
前記印刷装置は、前記第１の記憶手段に記憶領域がなくなると前記ホスト機器に対して送信不可情報を出力し、この情報に従って前記ホスト機器は前記フォームデータが送信データに存在するか判断し、存在する時前記第２の記憶手段に空き領域が存在するか確認した上で該フォームデータを前記印刷データより先に前記第２の記憶手段に送信することを特徴とする印刷システム。
【発明の詳細な説明】
【０００１】
【発明の属する技術分野】
本発明は印刷に使用する本来の実印刷データだけでなく、フォームデータや、外字データ、フォントデータ等のデータ送信を受け、対応する印刷処理を行う印刷システムに関する。
【０００２】
【従来の技術】
パーソナルコンピュータ等のホスト機器に直接接続され、又はＬＡＮ（ローカルエリアネットワーク）等のネットワーク回線を介して接続され、印刷データに従って印刷処理を行う印刷装置は、今日多くの機能を有する。例えば、フォームデータに対して被フォームデータを合成印刷を行うフォームオーバレイ機能や、外字を登録し、又は各種フォントデータを登録し、幅広い書体を使用できる印刷機能等である。
【０００３】
図７は上述のような機能を有する印刷装置のシステム構成図である。同図において、印刷装置１は受信部２、受信バッファ３、実行部４、登録バッファ５、ページバッファ６、描画部７、画像メモリ８、印刷制御部９、及び全体制御部１０で構成されている。また、上記構成の印刷装置は、例えば不図示のパーソナルコンピュータ（ホスト機器）に接続され、パーソナルコンピュータから印刷データの供給を受ける。
【０００４】
受信部２は供給される印刷データを受信し、登録データ以外は受信バッファ３に格納し、登録データは登録バッファ５に登録する。ここで、登録データとは、例えばフォームオーバレイ印刷用に予め用意するフォームデータであり、この登録データは上記のように登録バッファ５に登録される。
【０００５】
また、パーソナルコンピュータからの印刷データの受信中、上記受信バッファ３に空き領域が無い場合、受信部２は一時印刷データの受信ができないことをパーソナルコンピュータに通知する。そして、以後受信バッファ３を監視し、受信バッファ３に空き領域ができた時、受信可能であることをパーソナルコンピュータに通知する。
【０００６】
実行部４は上記受信バッファ３に格納した印刷データを読み出し、印刷データの解析処理を行い、ページバッファ６に描画可能なページデータに変換して変換後のページデータを１ページ毎に記憶させる。また、この時登録データが必要であれば、登録バッファ５から登録データを読み出し、使用する。
【０００７】
描画部７はページバッファ６に１頁分の印刷データが記憶されると、当該印刷データに基づいて画像メモリ８に描画を行う。また、印刷制御部９は画像メモリ８に１頁分の印刷データが描画されると、不図示のプリンタエンジンに印刷指示を行い、画像メモリ８に展開した描画データをプリンタエンジンに送信する。
【０００８】
尚、全体制御部１０は上記受信部２、実行部４、描画部７、印刷制御部９から情報を収集し、この情報に基づいて各部の制御を行う。
【０００９】
一方、図８は従来の印刷装置１がパーソナルコンピュータから印刷データを受信して印刷処理を行うまでのタイムチャートであり、例えば図９に示すＪＯＢ１〜ＪＯＢ５を実行するものとする。尚、ＪＯＢ１〜ＪＯＢ５は、図１２に示すように各１頁の印刷データ又はフォームデータであり、ＪＯＢ１は複写枚数が３枚、ＪＯＢ２〜ＪＯＢ５は複写枚数がそれぞれ１枚である。
【００１０】
また、処理の前提として前述の受信バッファ３、及びページバッファ６は、それぞれ２頁分の印刷データを格納できるメモリ容量を有する。また、図８に示す「受信」とは上記受信部２が印刷データを受信し、受信バッファ３又は登録バッファ５に当該データを書き込むまでの時間を示し、「実行」とは受信バッファ３又は登録バッファ５に格納又は登録されたデータを読み出し、ページバッファ６に描画可能なページデータに変換して記憶させる時間を意味する。また、「印刷」とはページバッファ６のページデータを画像メモリ８に描画し、不図示のプリンタエンジンによって印刷を終えるまでの時間を示す。さらに、「受信」及び「実行」の点線部は、その処理が完了するまでデータを保持する時間を示す。以下、具体的に説明する。
【００１１】
先ず、処理を開始する前、イニシャル処理によって受信バッファ３、登録バッファ５、及びページバッファ６の各領域を“空き”状態とする。その後、パーソナルコンピュータからＪＯＢ１の印刷データを供給すると、受信バッファ３のエリア（半分のエリア）にＪＯＢ１の印刷データが格納される。この状態は図８に示す(1)のタイミングである。
【００１２】
次に、受信バッファ３に格納された上記ＪＯＢ１の印刷データが実行部４によって読み出され、解析処理されると同時に、次のＪＯＢ２の印刷データが受信バッファ３のエリア（残りの半分のエリア）に格納される。この状態は図８に示す(2)のタイミングである。
【００１３】
次に、受信バッファ３に格納された上記ＪＯＢ２の印刷データが実行部４によって読み出され、解析処理されると同時に、前のＪＯＢ１の印刷データも実行部４によって解析処理が継続され、実行部４によるＪＯＢ１の印刷データの解析処理が完了すると、次のＪＯＢ３の印刷データが受信バッファ３のエリア（ＪＯＢ１の印刷データが読み出された後の半分のエリア）に格納される。この状態は図８に示す(3)のタイミングである。
【００１４】
次に、上述と同様、実行部４によって解析処理が継続し、受信バッファ３に格納された上記ＪＯＢ２の印刷データの解析処理が完了すると、次のＪＯＢ４の印刷データが受信バッファ３のエリア（ＪＯＢ２の印刷データが読み出された後の半分のエリア）に格納される。この状態は図８に示す(4)のタイミングである。
【００１５】
次に、上述と同様の処理を継続するが、上記(4)に続く(4)’の間、ページバッファ６にはＪＯＢ１とＪＯＢ２のデータが記憶され、描画部７による描画処理が行われている。しかし、ＪＯＢ１の処理は複写枚数３枚である。このため、描画部７は３回の描画処理を行う必要があり、この間ページバッファ６に新たな解析データを書き込むことができない。したがって、受信バッファ３においても新たな印刷データを書き込むことができず、パーソナルコンピュータからのデータ供給が停止する。
【００１６】
すなわち、ＪＯＢ５のフォームデータの入力は図８に示す(5)のタイミングとなる。また、この時供給されるデータはフォームデータであり、登録バッファ５に登録される。その後、同図の(6)の時点でＪＯＢ５の印刷データが供給され、上述と同様の解析処理、描画処理等を行い、順次ＪＯＢ１〜ＪＯＢ５のデータが印刷処理される。
【００１７】
【発明が解決しようとする課題】
しかしながら、上記従来の印刷システムによる処理では、ＪＯＢ５のフォームデータの入力が遅れる。すなわち、前のＪＯＢ４の印刷データが供給された後、登録バッファ５に空き領域があるにも関わらず、次に供給されるデータがフォームデータであることが判らず、パーソナルコンピュータからの送信処理が遅れ、パーソナルコンピュータの転送待ち時間となる。したがって、パーソナルコンピュータから印刷装置１への転送処理の効率が悪く、印刷処理自体も遅れる原因となる。
【００１８】
本発明は上記課題を解決するため、転送処理を効率良く行い、印刷処理自体も短縮できる印刷システムを提供するものである。
【００１９】
【課題を解決するための手段】
上記課題は本発明の請求項１の態様によれば、印刷装置に設けられ、ホスト機器から供給される印刷データを記憶する第１の記憶手段と、前記印刷装置に設けられ、前記ホスト機器から供給されるフォームデータを記憶する第２の記憶手段とを有し、前記印刷装置は、前記第１の記憶手段に記憶領域がなくなると前記ホスト機器に対して送信不可情報を出力し、この情報に従って前記ホスト機器は前記フォームデータが送信データに存在するか判断し、存在する時前記第２の記憶手段に空き領域が存在するか確認した上で該フォームデータを前記印刷データより先に前記第２の記憶手段に送信することを特徴とする印刷システムを提供することによって達成できる。
【００２０】
ここで、ホスト機器は印刷装置に直接、又はネットワークを介して接続される、例えばパーソナルコンピュータ等であり、印刷装置は上記ホスト機器に接続する例えばプリンタである。
【００２１】
また、第１の記憶手段は印刷装置に設けられ、例えば印刷データを記憶する受信バッファであり、実データである印刷データを記憶するメモリである。また、第２の記憶手段も印刷装置に設けられ、フォームデータを記憶するメモリである。
【００２２】
また、ホスト機器は上記第１の記憶手段に印刷データが記憶され、第１の記憶手段が満杯である時転送データにフォームデータの有無を確認し、もし存在すれば当該データを先に印刷装置に送り、第２の記憶手段に記憶する。
【００２３】
このように構成することにより、データ転送の待ち時間を無くし、効率良い転送を行うと共に、例えば早期に転送できたフォームデータを使用しフォームオーバレイ印刷を迅速に行い印刷処理を短時間で行うことが可能になる。
【００２６】
また、前記印刷装置は、例えば前記第１の記憶手段に記憶領域がなくなると前記ホスト機器に対して送信不可情報を出力し、この情報に従って前記ホスト機器は送信データに前記フォームデータが存在するか判断する構成である。
【００２７】
このように構成することにより、ホスト機器は当該情報を受け取った後、送信データに上記フォームデータの存在を検索することになり、より効率の良い検索処理を行うことができる。
【００２８】
また、前記ホスト機器は、例えば前記第２の記憶手段にデータを送信する前、該第２の記憶手段に空き領域が存在するか確認する構成である。
【００２９】
このように構成することにより、例えば第２の記憶手段が上記フォームデータ等を記憶し、新たなデータを記憶できない場合、上記ホスト機器からのデータ送信を行わない。
【００３０】
【発明の実施の形態】
以下、本発明の実施の形態を図面を参照しながら説明する。
＜第１の実施形態＞
図１は、本発明の第１実施形態を説明するシステム構成図である。
【００３１】
同図において、本例の印刷装置１１は受信部１２、受信バッファ１３、実行部１４、登録バッファ１５、ページバッファ１６、描画部１７、画像メモリ１８、印刷制御部１９、及び全体制御部２０で構成されている。また、上記構成の印刷装置は、例えば不図示のホスト機器（例えば、パーソナルコンピュータ）に接続され、ホスト機器から印刷データの供給を受ける。
【００３２】
受信部１２は供給される印刷データを受信し、フォームデータや外字データ、フォントデータ以外のデータ（以下、登録データで示す）は受信バッファ１３に格納し、登録データは登録バッファ１５に登録する。ここで、登録データとは、例えばフォームオーバレイ印刷用に予め用意するフォームデータであり、また上記のように外字データ、又はフォントデータであり、この登録データは上記のように登録バッファ１５に登録される。
【００３３】
実行部１４は上記受信バッファ１３に格納した印刷データを読み出し、印刷データの解析処理を行い、ページバッファ１６に描画可能なページデータに変換して変換後のページデータを１ページ毎に記憶させる。また、この時登録データが必要であれば、登録バッファ１５から登録データを読み出し、使用する。
【００３４】
描画部１７はページバッファ１６に１頁分の印刷データが記憶されると、当該印刷データに基づいて画像メモリ１８に描画を行う。また、印刷制御部１９は画像メモリ１８に１頁分の印刷データが描画されると、不図示のプリンタエンジンに印刷指示を行い、画像メモリ１８に展開した描画データをプリンタエンジンに送信する。
【００３５】
尚、全体制御部２０は上記受信部１２、実行部１４、描画部１７、印刷制御部１９から情報を収集し、この情報に基づいて各部の制御を行う。
【００３６】
一方、図２は本例のシステムがホスト機器から印刷データ、又はフォームデータ等を受信して印刷処理を行うまでのタイムチャートであり、図３に示すＪＯＢ１〜ＪＯＢ５を実行するものである。例えば、ＪＯＢ１は印刷データであり、ジョブ番号とフォームデータを示すフラグ、及び実データで構成されている。また、ＪＯＢ２〜ＪＯＢ５についても同様に、ジョブ番号とフォームデータを示すフラグ、及び実データで構成されている。但し、ＪＯＢ５はフォームオーバレイ印刷を行うためのデータであり、ＪＯＢ５はフォームデータと印刷データを含み、ジョブ番号とフォームフラグ、及びフォームデータと実データで構成されている。
【００３７】
尚、ＪＯＢ１は複写枚数が３枚、ＪＯＢ２〜ＪＯＢ５は複写枚数がそれぞれ１枚の指定であるものとし、本例における説明も従来例と対比させるため、同じ条件とする。
【００３８】
したがって、処理の前提として前述の受信バッファ１３、及びページバッファ１６は、それぞれ２頁分の印刷データが格納されると一杯になるメモリ容量であり、また図２に示す「受信」は前述の受信部１２が印刷データを受信し、受信バッファ１３又は登録バッファ１５に当該データを書き込む時間を示し、「実行」は受信バッファ１３又は登録バッファ１５に格納又は登録されたデータを読み出し、ページバッファ１６に描画可能なページデータに変換して１頁毎に記憶させる時間を示す。また、「印刷」はページバッファ１６のページデータを画像メモリ１８に描画し、不図示のプリンタエンジンによって印刷が完了するまでの時間を示す。以下、本例の処理を具体的に説明する。
【００３９】
先ず、本例においてもイニシャル処理によって受信バッファ１３、登録バッファ１５、及びページバッファ１６の各領域を“空き”状態とする。そして、先ずＪＯＢ１の印刷データをホスト機器から供給する。この印刷データの供給によって、先ず受信バッファ３のエリア（半分のエリア）にＪＯＢ１の印刷データが格納され（図２に示す(1)のタイミング）、次にＪＯＢ２の印刷データを受信バッファ３のエリア（残りの半分のエリア）に格納する（図２に示す(2)のタイミング）。
【００４０】
次に、受信バッファ１３に格納された上記ＪＯＢ２の印刷データが実行部１４によって読み出され、解析処理されると同時に、前のＪＯＢ１の印刷データも実行部１４によって解析処理が継続され、実行部１４によるＪＯＢ１の印刷データの解析処理が終了すると、次のＪＯＢ３の印刷データが受信バッファ１３のエリア（ＪＯＢ１の印刷データが読み出された後の半分のエリア）に格納される（図２に示す(3)のタイミング）。
【００４１】
次に、上述と同様、実行部１４によって解析処理が継続し、受信バッファ１３に格納された上記ＪＯＢ２の印刷データの解析処理が完了すると、次のＪＯＢ４の印刷データが受信バッファ１３のエリア（ＪＯＢ２の印刷データが読み出された後の半分のエリア）に格納される（図２に示す(4)のタイミング）。
【００４２】
次に、上述と同様処理を継続するが、上記(4)の時点ではページバッファ１６にＪＯＢ１とＪＯＢ２の解析後のデータが記憶され、描画部１７による描画処理が行われている。しかし、ＪＯＢ１の処理は複写枚数３枚である。このため、描画部１７は３回の描画処理を行う必要があり、この間ページバッファ１６に新たな解析データを書き込むことができない。しかしながら、本例においては印刷装置１から印刷データの受信不可の通知を受けると、ホスト機器側では残りのＪＯＢの中にフォームデータ等の登録バッファ１５に登録できるデータを探し、当該データが存在する場合には先に当該データを送信する。
【００４３】
この処理を上述の図２で説明すると、上述の(4)のタイミングにおいてホスト機器は受信不可の情報を印刷装置１１から受けとる。ホスト機器では上述のように印刷データの受信不可の通知を受けると、残りのＪＯＢの中にフォームデータ等の登録バッファ１５に登録できるデータを探す。例えば、フォームオーバレイ用のフォームデータ、又は外字データや、フォントデータを検索する。そして、本例においてはＪＯＢ５にフォームデータが存在し、ホスト機器は登録バッファ１５に空き状態があるか確認する。
【００４４】
ここで、本例の場合登録バッファ１５には空き領域があり、ホスト機器はＪＯＢ５のフォームデータの送信処理を行う。したがって、本例においては図２に示す(5)のタイミングでＪＯＢ５のフォームデータが登録バッファ１５に登録され、前述の図８に示す(5)のタイミングに比べて早期にデータ転送が行われ、ホスト機器に待ち時間を発生させることがない。
【００４５】
また、フォームデータを上記のように早期に登録バッファ１５に登録することによって、以後当該フォームデータを使用したフォームオーバレイ処理を行う場合、迅速に合成処理を行い、迅速な印刷を行うことが可能となる。
【００４６】
尚、図２の説明において、タイミング(2)の後、一旦受信バッファ３へのデータ転送が不可能になるため、ホスト機器は受信不可の情報を受けるが、ＪＯＢ１の印刷データの解析処理が短時間で終了し、受信バッファ３に空き領域が形成されるので、この時点ではＪＯＢ５のフォームデータの転送は見送られる。
【００４７】
また、(5)のタイミングで転送されるデータは、フォームデータに限らず上述の外字データやフォントデータ等のデータであってもよい。
＜第２の実施形態＞
次に、本発明の第２の実施形態について説明する。
【００４８】
図４は第２の実施形態を説明する図である。尚、同図は前述の第１の実施形態に対してハードディスク等のメモリを接続する構成であり、例えばカードタイプのフラッシュメモリやＲＡＭカード等の外部メモリ２１を印刷装置１に装着する。この外部メモリ２１は前述の受信部１２、実行部１４、及び印刷制御部１９に接続され、データバスを介して印刷データや描画データの授受が行われる。尚、他の構成は前述の第１の実施形態と基本的に同じであり、構成上の説明を省略する。以下、具体的に説明する。
【００４９】
図５は受信部１２及び全体制御部２０が行う制御を説明するフローチャートである。先ず、ホスト機器から印刷データが供給されると、受信バッファ１３に空き領域があるか判断する（ステップ（以下Ｓで示す）１）。ここで、受信バッファ１３に空き領域がある場合（Ｓ１がＹ（イエス））、外部メモリ２１が既に受信中であるか判断し、印刷データを受信バッファ３に格納する（Ｓ２がＮ（ノー）、Ｓ３）。尚、上記外部メモリ２１の受信中の判断は、後述する「受信中フラグ１」を確認して行い、後述するように外部メモリ２１に印刷データを格納（待避）させた場合には、必ず当該印刷データを転送した後、新たな印刷データを受信バッファ１３に転送する構成である。
【００５０】
一方、上記判断（Ｓ１）において、受信バッファ１３に空き領域がない場合（Ｓ１がＮ）、受信バッファ３は印刷データで満杯であり、新たな印刷データの格納ができないので、上記外部メモリ２１が受信中であるか判断して印刷データを外部メモリ２１に転送する（Ｓ４がＮ（ノー）、Ｓ６）。尚、この時外部メモリ２１が以後受信中であることを示すため「受信中フラグ１」をオンする（Ｓ５）。
【００５１】
このように処理することにより、印刷データ供給時、受信バッファ１３に空き容量がない場合でも外部メモリ２１に格納することができ、ホスト機器からの印刷データの転送処理を中断させることがない。
【００５２】
その後、受信バッファ１３の印刷データが実行部１４によって順次読み出され、解析処理が行われると、受信バッファ１３に空き領域が形成される（Ｓ１がＹ）。この場合、受信部２は上述の「受信中フラグ１」を確認し、外部メモリ２１に印刷データが格納されているか判断する（Ｓ７）。そして、外部メモリ２１に印刷データが残っている場合、「受信中フラグ１」をオフにして外部メモリ２１から印刷データを受信バッファ１３に転送する（Ｓ８、Ｓ３）。
【００５３】
したがって、このように制御することによって、一旦外部メモリ２１に格納された印刷データを受信バッファ１３に転送することができる。また、その後外部メモリ２１に格納していた印刷データが全て受信バッファ１３に送られると判断（Ｓ７）がＮとなり、以後ホスト機器から印刷データが供給されると直接受信バッファ３に印刷データが転送される（Ｓ１がＹ、Ｓ２がＮ、Ｓ３）。したがって、一旦印刷データを外部メモリ２１に格納した後には、外部メモリ２１に格納した印刷データを全て出力した後、新たな印刷データを受信バッファ３に格納する。
【００５４】
以上のように処理することによって、ホスト機器の印刷データの転送待ち時間を無くし、効率よい転送処理を行うことができる。
【００５５】
次に、図６は実行部１４及び全体制御部２０による制御を説明するフローチャートである。本例はページバッファ１６に描画データを書き込む際、ページバッファ１６の空き領域を判断し、空き領域が無い場合、上述の外部メモリ２１にデータを格納し（待避し）、ページバッファ１６に空き領域が形成された時外部メモリ２１に待避したデータを転送する構成である。以下、具体的に説明する。
【００５６】
先ず、実行部１４は受信バッファ１３から印刷データを読み出し、解析処理を行い、描画データに変換してページバッファ１６に書き込む。この際、実行部１４はページバッファ１６に空き領域があるか判断する（ステップ（以下ＳＴで示す）１）。ここで、ページバッファ１６に空き領域がある場合（ＳＴ１がＹ（イエス））、外部メモリ２１が既に受信中であるか判断し、描画データをページバッファ１６に格納する（ＳＴ２がＮ（ノー）、ＳＴ３）。尚、この外部メモリ２１の受信中の判断は、後述する「受信中フラグ２」を確認して行い、この処理の意味は受信バッファ１３への印刷データの書き込み処理と同様、外部メモリ２１に前の印刷データが残っていないことを確認して新たな描画データをページバッファ１６に書き込むためである。
【００５７】
一方、上記判断（ＳＴ１）において、ページバッファ１６に空き領域がない場合（ＳＴ１がＮ）、ページバッファ６には新たに印刷データを書き込むことができず、新たな描画データは、上記外部メモリ２１が受信中であることを判断して外部メモリ２１に転送する（ＳＴ４がＮ（ノー）、ＳＴ６）。尚、この時外部メモリ２１が以後受信中であることを示す「受信中フラグ２」をオンする（ＳＴ５）。
【００５８】
また、以後ページバッファ１６が満杯であり、外部メモリ２１に描画データを書き込む場合には、「受信中フラグ２」を確認して外部メモリ２１に新たな描画データを書き込む（ＳＴ４がＹ、ＳＴ６）。
【００５９】
このように処理することにより、描画データをページバッファ１６に書き込む際、ページバッファ１６に空き容量がない場合でも外部メモリ２１に格納することができ、実行部１４の描画データの転送処理を中断させることがない。
【００６０】
その後、ページバッファ１６から描画データが読み出され、画像メモリ１８を介して印刷処理が行われると、ページバッファ１６に空き領域が形成され（ＳＴ１がＹ）、実行部１４は上述の「受信中フラグ２」を確認し、外部メモリ２１に描画データが格納されているか判断する（ＳＴ７）。そして、外部メモリ２１に描画データが残っている場合、「受信中フラグ２」をオフにして外部メモリ２１から印刷データをページバッファ１６に転送する（ＳＴ８、ＳＴ３）。
【００６１】
したがって、このように処理することによって、一旦外部メモリ２１に格納された描画データをページバッファ１６に転送することができる。また、その後外部メモリ２１に格納していた描画データが全てページバッファ１６に送られると判断（ＳＴ７）がＮとなり、以後実行部１４から直接ページバッファ１６に描画データが転送される（ＳＴ１がＹ、ＳＴ２がＮ、ＳＴ３）。
【００６２】
以上のように処理することによって、実行部４の描画データの転送待ち時間を無くし、効率よい転送処理を行うことができる。
【００６３】
したがって、上述の図５、及び図６に示す処理によって転送処理を効率よく行い、印刷データや描画データの迅速処理を行うことができる。
【００６４】
尚、上述の実施形態に使用する外部メモリ２１は、例えばフォームデータやフォントデータ、又はラスタライズしたデータを記憶するメモリであってもよい。
【００６５】
【発明の効果】
以上説明したように、本発明によれば印刷ジョブの中に実データである印刷データのみならずフォームデータやフォントデータ等が含まれる場合、印刷装置側が受信不可能になっても、実データとフォームデータを切り換えて受信可能とし、データの効率よい転送処理を行うことができる。
【００６６】
また、転送時間を短縮すると共に、迅速に送信したフォームデータ等を有効に使用することによって全体の印刷処理を短縮することもできる。
【図面の簡単な説明】
【図１】本発明の第１実施形態を説明するシステム構成図である。
【図２】本例のシステムがホスト機器から印刷データ、又はフォームデータ等を受信して印刷処理を行うまでのタイムチャートである。
【図３】ＪＯＢ１〜ＪＯＢ５の内容を詳しく説明する図である。
【図４】第２の実施形態を説明する図である。
【図５】受信部及び全体制御部が行う制御を説明するフローチャートである。
【図６】実行部及び全体制御部が行う制御を説明するフローチャートである。
【図７】従来の印刷装置のシステム構成図である。
【図８】従来の印刷装置がパーソナルコンピュータから印刷データを受信して印刷処理を行うまでのタイムチャートである。
【図９】従来のＪＯＢ１〜ＪＯＢ５の内容を説明する図である。
【符号の説明】
１１  印刷装置
１２  受信部
１３  受信バッファ
１４  実行部
１５  登録バッファ
１６  ページバッファ
１７  描画部
１８  画像メモリ
１９  印刷制御部
２０  全体制御部
２１  外部メモリ
ＪＯＢ１〜ＪＯＢ５  ジョブ
▲１▼〜▲５▼  処理タイミング
【図１】
0003867186.tif 000002
【図２】
0003867186.tif 000003
【図３】
0003867186.tif 000004
【図４】
0003867186.tif 000005
【図５】
0003867186.tif 000006
【図６】
0003867186.tif 000007
【図７】
0003867186.tif 000008
【図８】
0003867186.tif 000009
【図９】
0003867186.tif 000010